(57)【要約】      （修正有）【課題】接続する一対の管体の軸ずれを簡単な構造で容易に吸収することのできる、斬新な構造の偏心自在管接手を提供する。【解決手段】一対の丸パイプ状の管体間に介在してこれらを互いに接続する偏心自在管接手において、前記一方の管体に回動自在に嵌挿して接続する基筒部９を、フランジ７の一方の片面に該フランジ７と同軸にして突設する。また、他の一方の管体に接続する偏心筒部１０を前記フランジ７の他の一方の片面に前記基筒部９に対して偏心させて突設する。【選択図】図１
2005207436.tif 000002
【特許請求の範囲】
【請求項１】
一対の丸パイプ状の管体間に介在してこれらを互いに接続する偏心自在管接手において、前記一方の管体に回動自在に嵌挿して接続する基筒部を、フランジの一方の片面に該フランジと同軸にして突設すると共に、前記他の一方の管体に接続する偏心筒部を前記フランジの他の一方の片面に前記基筒部に対して偏心させて突設した、偏心自在管接手。
【請求項２】
基筒部の外側に一方の管体に螺合する袋ナットを係合し、該袋ナットの突き当り壁と前記一方の管体の端縁間に前記基筒部と前記一方の管体間の隙間を閉塞するシールリングを前記基筒部に係合して介在させると共に、前記他の一方の管体の外側に係合する偏心筒部に第二袋ナットを螺合し、該第二袋ナットの突き当り壁と前記偏心筒部の端縁間に前記偏心筒部と前記他の一方の管体間の隙間を閉塞する第二シールリングを介在させた、請求項１記載の偏心自在管接手。
【発明の詳細な説明】
【技術分野】
【０００１】
本発明は、丸パイプ状の排水管同士を連通させて接続したり、排水トラップと排水管を連通させて接続する等のために用いる偏心自在管接手に関するものである。
【背景技術】
【０００２】
接続する一方の管体に接続するアダプターと、他の一方の管体に袋ナットを介して接続する所定の角度に折り曲げ状にして成る主体管とから成り、前記アダプターには接続部を偏心させて形成し、該接続部の内側にコア材を回動可能に組付け、このコア材の内側に前記主体管の突出部を回動可能に組付けて構成し、アダプターを前記一方の管体に螺合する一方、他の一方の管体には前記袋ナットを螺合するようにして一対の前記管体を互いに接続するようにした構造のものがある（例えば、特許文献１）。
【０００３】
【特許文献１】実用新案登録第２５４４６０６号公報
【発明の開示】
【発明が解決しようとする課題】
【０００４】
前記従来例は、接続する一対の管体間の偏心状態（ずれ）を主体管の折り曲げ状を利用して吸収しようとする構成を採るため、主体管の回動作業に際し、少くとも回動中心軸側の一端に対し他の一端を偏心状態で回動させなければならないので、回動操作のための特別な装置を備えていないことと相俟って、その操作が煩雑であり、また、形態的にも応分の長さ（折り曲げ状であるため）を必要とする。
【０００５】
本発明は、接続する一対の管体の軸ずれを簡単な構造で容易に吸収することのできる斬新な構造の偏心自在管接手を提供すべく創案したものである。
【課題を解決するための手段】
【０００６】
一対の丸パイプ状の管体間に介在してこれらを互いに接続する偏心自在管接手において、前記一方の管体に回動自在に嵌挿して接続する基筒部を、フランジの一方の片面に該フランジと同軸にして突設すると共に、前記他の一方の管体に接続する偏心筒部を前記フランジの他の一方の片面に前記基筒部に対して偏心させて突設したことを基本的手段とする。
【０００７】
なお、基筒部の外側に一方の管体に螺合する袋ナットを係合し、該袋ナットの突き当り壁と前記一方の管体の端縁間に前記基筒部と前記一方の管体間の隙間を閉塞するシールリングを前記基筒部に係合して介在させると共に、前記他の一方の管体の外側に係合する偏心筒部に第二袋ナットを螺合し、該第二袋ナットの突き当り壁と前記偏心筒部の端縁間に前記偏心筒部と前記他の一方の管体間の隙間を閉塞する第二シールリングを介在させた構成を付加することにより、管体との組付け操作が容易で、流体シールを確実に行える管接手を提供できる。
【発明の効果】
【０００８】
本発明によれば、一方の管体に嵌挿した基筒部を中心にして該基筒部のフランジを利用して回動させるだけで偏心筒部が基筒部に対して偏心円運動して位置が変るから管体間の軸ずれ吸収するための操作を簡単に行うことができる。
【０００９】
また、基筒部に該基筒部を係合する一方の管体より大径のフランジを設けてあるから、該フランジが基筒部外方に突出して、これを管体同士の位置ずれを吸収するための回動操作の把手として利用して該操作を尚一層容易に行うことができる。
【実施例】
【００１０】
図面は本発明に係る偏心自在管接手の一実施例を示し、図１は使用状態を示す一部欠截側面図、図２は図１の一部拡大図、図３は一部欠截側面図、図４は一部欠截正面図である。
【００１１】
図１で示す、本発明に係る偏心自在管接手Ａの一使用例は、洗面所等に設置する洗面器１の排水口に中継管２を介して組付けた排水トラップＢの排水管部３と排水系として設置した配水管４との間に介在させ、排水管部３と配水管４とを連通、接続するために用いた例を示している。
【００１２】
偏心自在管接手Ａは、互いに偏心して連通する円筒状の基筒部５と同じく円筒状の偏心筒部６を備え、該筒部５，６の中間部に各筒部５，６より大径な（外径が）フランジ７を備えた接手本体８の前記基筒部５に袋ナット９を、前記偏心筒部６に第二袋ナット１２をそれぞれ組合わせて構成したものである。
【００１３】
前記基筒部５は円形の（外径が）前記フランジ７の片面に該フランジ７に同軸にして突設した形態にしてフランジ７の内腔部７ａに連通し、その外径を、接手Ａを介して接続する管体（図１の場合は排水管部３）および偏心筒部６の外径より小径にしてこれらに嵌挿して組合わせられる大きさにした円筒（管）体で成り、該基筒部５を貫通させるようにして前記袋ナット９を係合し、該袋ナット９を利用して前記排水管部３に連通接続したものである。
【００１４】
袋ナット９は、内面に雌ねじを設けた主体筒部９ａの一端を、突き当り壁９ｂを設けて内径を狭くしたもので、主体筒部９ａの内側に前記突き当り壁９ｂの内径より大径なシールリング（ゴム製）１０とスライドリング１１を、シールリング１０を前記突き当り壁９ｂ側に配して基筒部５に組合わせたものである。
【００１５】
前記偏心筒部６は、前記フランジ７の他の片面に（フランジ７の径内に）、フランジ７に対して偏心位置にして突設した形態にしてフランジ７の内腔部７ａに連通し、その周面に雄ねじを設けた第二袋ナット１２を螺合して組付け、この第二袋ナット１２を利用して前記配水管４に連通接続するようにしたものである。
【００１６】
第二袋ナット１２は、内面に雌ねじを設けた主体筒部１２ａの一端を、袋ナット９と同様に突き当り壁（１２ｂ）を設けて内径を狭くしたもので、袋ナット９と同様に、主体筒部１２ａの内側に前記突き当り壁１２ｂの内径より大径のシールリング（ゴム製）２３とスライドリング２４を、シールリング２３を前記突き当り壁１２ｂ側に配して組合わせたものである。
【００１７】
そして、中継管２を介して洗面器１の排水口に組付けた（接続した）排水トラップＢの排水管部３に接手Ａの基筒部５を嵌挿し、該基筒部５の外側に予め係合した袋ナット９を排水管部３の雌ねじに螺合、締付けると、袋ナット９に係合して基筒部５に係合したシールリング１０は排水管部３のスライドリング１１（周知の通り、シールリングはスライドリングの存在により袋ナットで締付けたときスライドリング面を摺動して捻れることがない）を介する端縁３ａと突き当り壁９ｂに挟圧され、排水管部３と基筒部５との隙間ａを閉塞し、かつ、この状態で基筒部５、すなわち、接手Ａは排水管部３に接続、連通される。
【００１８】
そして、接手Ａに排水管４を接続するには、排水トラップＢの排水管部３に螺合した袋ナット９の排水管部３ねじ部に対する螺合、締付け状態を必要に応じて緩めて排水管部３乃至基筒部５の心軸を中心にして接手Ａを回動させると（この回動操作は、フランジ７の両面すなわち軸線方向に基筒部５と偏心筒部６を突設してあるので、フランジ７の外周面は各筒部５，６より外側に存して指先で握り易くなり、該フランジ７を操作材として好適に利用できる）、偏心筒部６は前記基筒部５に対して偏心位置に配してあるので、前記排水管部３に対する排水管４の位置（偏心）に対して偏心位置に配設する配水管４位置に配せられ、この状態で、緩めた袋ナット９を締付けて排水管部３に対して接手Ａを固定状態において（シールリング１０によって隙間ａをシールした状態であれば良い）、接手Ａの偏心筒部６に配水管４の端末部を必要量嵌挿し、該配水管４の外側に予め係合した第二袋ナット１２を偏心筒部６に螺合締付けると、袋ナット９と同様にスライドリング２４と共に第二袋ナット１２内に装置したシールリング２３は第二袋ナット１２の突き当り壁１２ｂと偏心筒部６の端縁で挟圧され、偏心筒部５と配水管４の隙間ｂを閉塞状態におき、偏心筒部６と配水管４はシール状態にして接続され、排水トラップＢと排水管４は接手Ａを介する接続、連通状態となる。
【００１９】
なお、排水トラップＢは、接続ナット１６によって前記中継管２に接続する本体筒１７の内側に前記中継管２と連通する内筒１９を備え、該内筒１９と前記本体筒１７との間に設けた、前記排水管部３に連通する封水室２０を、前記内筒１９の、前記排水管部３より下方に位置する下端面を開放して内筒１９内側と連通させて構成し、洗面器１からの排水は、中継管２、内筒１９および封水室２０を経て排水管部３を通じてトラップＢ外部に排出され、内筒の開口下端と排水管部との高低差によって封水室２０内に排水を滞留させ、排水トラップとしての機能を期待するものである。
【００２０】
図示、１８は封水室の下端を開閉する蓋材で、この蓋材を取り外すことによってトラップ内部に滞積したごみを取り出すようにしてある。
【００２１】
因みに、偏心自在管接手Ａは、実施例では排水管部３と配水管４との間に介在させてあるが、中継管２と本体筒１７との間に介在させて用いても差し支えがないことは勿論である。
【００２２】
なお、接続ナット１６は、袋ナット９とほぼ同様の構造になっており、本体筒１７に設けた雌ねじに螺合し、スライドリングと共に内部に納めたシールリングによってシール機能する点も袋ナット９部と同様である。
【００２３】
要するに、本体筒１７と配水管部３の一方又は双方に図１で示すような組合わせによって接手Ａを配水トラップＢに組付けておくと、洗面器１と配水管４間に配水トラップＢを介在させる作業を容易に行うことができるのである。
【００２４】
すなわち、排水トラップからの排水はトラップの排水管部を建物の壁面内部に設けてある配水管の内径部に約３０ｍｍ程度差し込んで接続する方法が一般に採られており、この場合、両者の配管位置を同一心軸に合せる作業は非常に難しく多少のずれ（食い違い）が発生することは避れないこととなっており、排水管が場合によって前記の差し込みが不可能で接続不能となる場合がある。このときは排水管を変形させる等の無理な改造を行い無理やり接続させている常況である。このようなとき、前記のように配水トラップに接手（実施例の構造のものと限らない）を組付けておくと、配水トラップと配管の軸ずれを容易に吸収して排水トラップの設置作業を容易に行うことができる。
【図面の簡単な説明】
【００２５】
【図１】使用状態を示す一部欠截側面図。
【図２】図１の一部拡大図
【図３】一部欠截側面図。
【図４】一部欠截正面図。
【符号の説明】
【００２６】
７      フランジ
９      基筒部
１０    偏心筒部
【図１】
2005207436.tif 000003
【図２】
2005207436.tif 000004
【図３】
2005207436.tif 000005
【図４】
2005207436.tif 000006